(57)【要約】【課題】受信側の表示ディスプレイに生じる表示上の不具合を解消し、展示効果の高い展示用ディスプレイを提供する。【解決手段】  画像再生表示手段の所定の画面形状及び大きさに適合させて基本画像を切り出して切出画像データを作成する切出手段と、前記切出画像データに所定の圧縮処理を施して送信用画像データを作成する圧縮手段とを有する画像加工手段を備えた画像配信装置１２と、前記送信用画像データを送信する等の通信回線３０と、前記送信用画像データを受信して前記切出画像データを表示する画像再生表示手段を備えた画像受信装置２２とからなる。【選択図】図１
2008009057.tif 000002
【特許請求の範囲】
【請求項１】
画像再生表示手段の所定の画面形状及び大きさに適合させて基本画像を切り出して切出画像データを作成する切出手段と、前記切出画像データに所定の圧縮処理を施して送信用画像データを作成する圧縮手段とを有する画像加工手段を備えた画像配信装置と、
前記送信用画像データを送信する通信回線と、
前記送信用画像データを受信して前記切出画像データを表示する画像再生表示手段を備えた画像受信装置
とからなることを特徴とする展示用ディスプレイ装置。
【請求項２】
前記画像受信装置が、送信用画像データを蓄積する画像データ蓄積手段を備える請求項１に記載の展示用ディスプレイ装置。
【請求項３】
前記画像再生表示手段がドットマトリックス方式のＬＥＤを配設したものである請求項１又は２に記載の展示用ディスプレイ装置。
【請求項４】
前記画像再生表示手段が円形又は円弧を含む形状である請求項１ないし３のいずれか１項に記載の展示用ディスプレイ装置。
【発明の詳細な説明】
【技術分野】
【０００１】
この発明は、展示用ディスプレイ装置に関し、特には例えば屋外等に設置された特殊な形状を有するディスプレイを有する装置に関する。
【背景技術】
【０００２】
例えば屋外等に設置された展示用ディスプレイにおいては、制御装置を備えた本部から各種通信回線を通じ静止画や動画等の画像が配信される。現状、画像形状に関していえば、配信側の画像も受信側の画像も横長の長方形状にほぼ統一されている。このため、受信側の画面に適合させる場合、若干の縦横比率の変更のみで済むため、特段の不具合は生じていない。
【０００３】
これに対し、近時の画像表示技術の進歩及び多様化に伴い、比較的容易に任意の形状に加工した画像表示装置を開発することが可能となった。例えば、パネル型ＬＥＤ表示モジュールを適当に組み合わせて大画面とすることが可能となった（特許文献１参照）。そして、使用目的、設置場所等を勘案して、従来の単純な方形状ではなく、展示効果の高い円形や円弧を含む形状などの特殊な形状のディスプレイが要請されるようになった。
【０００４】
このような場合、一方の配信側の基本画像は従来どおりの長方形状であり、他方の受信側の表示装置では特殊形状である。つまり、表示すべき画像の形状が異なるため、直接そのままに配信画像を受信側の表示装置に送信した場合、画像の表示領域の関係上不具合を招来するおそれがある。例えば、切り取り方が不自然となることが考えられる。また、図８に示すとおり、表示ディスプレイ９０の形状に適合させて表示倍率を無理に調整するため、元の画像が縮小されすぎて非表示部分９９が生じることも考えられる。符号Ｑは縮小された元の画像であり、長方形状はそのままである。
【０００５】
しかしながら、このような画像表示は外観上見苦しく、展示効果を大きく損ない、特殊形状、特には非表示部分を生じやすい円形状又は円弧を含む形状等の特殊形状を含むディスプレイのための展示効果の高い装置の出現が要望されている。
【特許文献１】特開２００１−３３７６２６公報
【発明の開示】
【発明が解決しようとする課題】
【０００６】
そこで、この発明は、予め受信側の表示装置の画面形状に合わせて画像の配信側において作成し、これを受信側において表示することにより、受信側の表示ディスプレイに生じる表示上の不具合を解消し、展示効果の高い展示用ディスプレイを提供しようとするものである。
【課題を解決するための手段】
【０００７】
すなわち、請求項１の発明は、画像再生表示手段の所定の画面形状及び大きさに適合させて基本画像を切り出して切出画像データを作成する切出手段と、前記切出画像データに所定の圧縮処理を施して送信用画像データを作成する圧縮手段とを有する画像加工手段を備えた画像配信装置と、前記送信用画像データを送信する等の通信回線と、前記送信用画像データを受信して前記切出画像データを表示する画像再生表示手段を備えた画像受信装置とからなることを特徴とする展示用ディスプレイ装置に係る。
【０００８】
請求項２の発明は、前記画像受信装置が、送信用画像データを蓄積する画像データ蓄積手段を備える請求項１に記載の展示用ディスプレイ装置に係る。
【０００９】
請求項３の発明は、前記画像再生表示手段がドットマトリックス方式のＬＥＤを配設したものである請求項１又は２に記載の展示用ディスプレイ装置に係る。
【００１０】
請求項４の発明は、前記画像再生表示手段が円形又は円弧を含む形状である請求項１ないし３のいずれか１項に記載の展示用ディスプレイ装置に係る。
【発明の効果】
【００１１】
請求項１の発明に係る展示用ディスプレイ装置によると、画像再生表示手段の所定の画面形状及び大きさに適合させて基本画像を切り出して切出画像データを作成する切出手段と、前記切出画像データに所定の圧縮処理を施して送信用画像データを作成する圧縮手段とを有する画像加工手段を備えた画像配信装置と、前記送信用画像データを送信するインターネット等の通信回線と、前記送信用画像データを受信して前記切出画像データを表示する画像再生表示手段を備えた画像受信装置とからなるため、予め受信側の表示装置の画面形状に合わせて画像の配信側において作成し、これを受信側において表示することにより、受信側の表示ディスプレイに生じる表示上の不具合を解消し、展示効果の高い展示用ディスプレイを提供することが可能となる。
【００１２】
請求項２の発明に係る展示用ディスプレイ装置によると、請求項１の発明において、前記画像受信装置が、送信用画像データを蓄積する画像データ蓄積手段を備えるため、大量のデータの記憶、保存が可能であり、かつ所望の時間に、蓄積された画像の再生が可能となる。
【００１３】
請求項３の発明に係る展示用ディスプレイ装置によると、請求項１又は２の発明において、前記画像再生表示手段がドットマトリックス方式のＬＥＤを配設したものであるため、屋外展示に適した大画面の表示装置とすることができ、しかも電力消費量を少なくすることができる。
【００１４】
請求項４の発明に係る展示用ディスプレイ装置によると、請求項１ないし３のいずれかの発明において、前記画像再生表示手段が円形又は円弧を含む形状であるため、今まで長方形の表示ディスプレイに見慣れた顧客や通行人は、斬新な円形の表示ディスプレイであることに興味を抱きインパクトを受け、高い展示効果が得られる。
【発明を実施するための最良の形態】
【００１５】
以下添付の図面に従って本発明を詳細に説明する。
図１は本発明の一実施例に係る展示用ディスプレイ装置の全体構成図、図２は基本画像データの概念図、図３は切出画像データの概念図、図４は送信用画像データの概念図、図５はＬＥＤモジュールの概略斜視図、図６は表示ディスプレイの概略斜視図、図７は表示ディスプレイにおける表示例である。
【００１６】
図１の全体構成図から把握され、請求項１の発明に規定するように、展示用ディスプレイ装置１は、画像送信側に当たる本部１０と画像受信側となる支部２０とをインターネット等の通信回線３０により接続し、本部１０内にて加工した画像データを支部２０内の表示ディスプレイ５０に送信する。表示される画像は、静止画、動画、コマ送り画像等のいずれであってもよい。
【００１７】
実施例の開示形態において、本部１０内には、画像処理用のワークステーション１１（画像加工手段）を備えた送信サーバー１２（画像配信装置）が設置される。各々の支部２０には、画像を表示する表示ディスプレイ５０（画像再生表示手段）を備えた受信サーバー２２（画像受信装置）が設置される。画像や音声等の必要な全てのデータは、インターネット等の通信回線３０を介して本部の送信サーバー１２から支部の受信サーバー２２に伝送される。
【００１８】
送信サーバー１２、受信サーバー２２においては、送信されるデータの集約、分配、支部２０の表示ディスプレイ５０の具体形状や大きさの指示、データの合成、編集、解凍、ＤＡ変換等の各種機能が実行される。また、ワークステーション１１は、画像処理に特化した専用のマイクロコンピューター（マイクロプロセッサー）を実装した専用機である。
【００１９】
通常、基本画像は縦１×横１．６２に近似した比率の長方形形状により構成される。ところが、任意の形状を有する表示ディスプレイ５０に対応させるためには、特別に長方形形状の画像データを編集、加工することが必要となる。
【００２０】
そこで、図２ないし図４を用い、ワークステーション１１における画像データの編集、加工処理の一例を説明する。はじめに、表示ディスプレイ５０自体の表示部分の画面形状及びその大きさに適合させるため、基本画像データＰ１に対し切出領域Ｃａが指定される（図２参照）。実施例の場合、図６に開示するとおり表示ディスプレイ５０は正面視円形状であるため、切出領域Ｃａも円となる。
【００２１】
基本画像データにおける切出領域Ｃａの位置、量の設定は、公知の画像処理、編集の手法が好適に利用され、特段限定されることはない。実施例の場合、基本画像データＰ１内に座標軸（図示せず）と重心Ｏが設定され、この重心Ｏに、表示ディスプレイの形状における重心が重ね合わされ切出領域Ｃａの位置が確定する。切出領域Ｃａの量は、表示画像の解像度、後述する表示ディスプレイの表示ドットの密度等に応じて最適化演算され規定される。
【００２２】
こうして、基本画像データＰ１より切出領域Ｃａのみの切出画像データＰ２が作成される。切出画像データＰ２は図３の概念図のとおり示される。図２の基本画像データＰ１は長方形である一方、表示ディスプレイの形状に適合させて必要部分のデータのみが分離される。すなわち、切出領域Ｃａ内のデータを残し、これ以外の基本画像データは削除され、結果的にデータ総量が縮減される。
【００２３】
さらに、図４の概念図が参照されるように、切出画像データＰ２に対し、所定の画像情報の圧縮処理が施され、送信用画像データＰ３に作成される。インターネット等の通信回線３０を利用したデータ送信の場合、回線におけるデータ送信容量の関係から、データ総量の圧縮が不可欠となる。切出画像データＰ２より送信用画像データＰ３を作成する圧縮手法、線形補間の手法等として、公知のＭＰＥＧ２、ＭＰＥＧ４、ＪＰＥＧ等のデータ圧縮技術が用いられ、その方式等は限定されない。このように、実施例のワークステーション１１は切出手段、圧縮手段を有する画像加工手段を備えている。
【００２４】
送信用画像データＰ３は送信サーバー１２に一時的に蓄積され、送信サーバー１２から各支部の受信サーバー２２に送信される。実施例では、画像加工手段（切出手段、圧縮手段）に相当するワークステーションを独立に備えているが、送信サーバーに兼務させることも可能である。
【００２５】
インターネット等の通信回線３０を経由して送信される送信用画像データＰ３は、支部２０の受信サーバー２２に受け入れられ、同受信サーバー２２にて圧縮状態からの復元（解凍）、編集等の画像再生に必要な各種処理が実行される。当然、この時点で前記の切出画像データＰ２の状態に戻される。
【００２６】
送信用画像データＰ３の送信は、同時送信あるいは随時送信のいずれにおいても可能である。ただし、現状のインターネット等の通信回線における送信容量を勘案すると、長時間の動画の送信では負担が大きくなるため、送信用画像データＰ３をパケット化して随時送信とすることが望まれる。このような場合、受信サーバー２２により、個々のパケットから送信用画像データＰ３が再作成される。
【００２７】
請求項２の発明に規定するように、受信サーバー２２は送信用画像データＰ３を蓄積する蓄積サーバー４０を備えることができる（図１参照）。この場合、蓄積サーバー４０に再作成した送信用画像データＰ３の記憶、保持機能を持たせることが可能となり、受信サーバー２２はパケット化した送信用画像データＰ３の編集に特化することができ、処理負担が軽減する。実施例の蓄積サーバー４０は、パケットから再作成された送信用画像データＰ３を復元（解凍）して得た切出画像データＰ２の記憶、保存も行う。そのため、所望の時間に、蓄積された画像の再生が可能となる。なお、受信サーバー２２に蓄積サーバー４０を兼務させることも可能である。
【００２８】
実施例の場合、図１の全体構成図から把握されるとおり、蓄積サーバー４０に表示ディスプレイ５０が接続される。表示ディスプレイ５０の表示方式は、ＴＦＴ−ＬＣＤモジュール方式、ＰＤＰ方式、ＬＥＤパネル方式等の各種方式が適用可能である。これらの表示形態において、省電力であり、屋外に展示し、大画面を得るに際し、とりわけＬＥＤパネル方式が望ましい。
【００２９】
図５に示し、請求項３の発明に規定するように、表示ディスプレイ５０は、ドットマトリックス方式のＬＥＤが配設されたＬＥＤモジュール５１を複数枚集積して構成される。実施例のＬＥＤモジュール５１には、赤色、緑色、青色の三原色を発光するＲＧＢ−ＬＥＤ５２が所定間隔を成して格子状（ドットマトリックス状）にモジュールフレーム体５３内に列設される。符号５４はケーブルである。なお、モジュールの詳細は、前記の特許文献１が参照される。このように、ＬＥＤモジュール５１を所望形状に配置することが可能となるため、従前の単純な長方形の画像表示領域に留まらず、設置場所、訴求効果を勘案した自在な形状とすることができる。例えば、販売物品のシルエットに表示ディスプレイの形状を合わせることも可能である。
【００３０】
図６に示し、請求項４の発明に規定するように、表示ディスプレイ５０の画像表示面５５は円形又は円弧を含む形状である。実施例のＬＥＤモジュールは１辺２４〜２５ｃｍの正方形であり、これを組み合わせて構成される表示ディスプレイは直径３００〜３６０ｃｍの円盤体である。今まで長方形の表示ディスプレイに見慣れた顧客や通行人は、円形の表示ディスプレイであることに興味を抱き、さらに、表示される画像（映像）に不自然さが無いことに感心する。図７は、円形状の表示ディスプレイ５０における表示例である。基本画像データＰ１に対して設定した切出領域Ｃａの切出画像データＰ２に基づく画像が忠実に表示ディスプレイ５０に再現される。
【００３１】
実施例のとおり、ドットマトリックス方式のＬＥＤが配設されたＬＥＤモジュールを用いる場合、表示ディスプレイにおいて表示される表示用ドットの密度（ＲＧＢ−ＬＥＤの配設数）は固定されている。表示ディスプレイの画面形状に対応して基本画像（そのドット）を縮小しようとしても、配設されたＲＧＢ−ＬＥＤの分布密度以下のドットを表現することはできない。そこで、無理に基本画像を縮小するのではなく、表示上、必要な範囲のみを選択して切出領域Ｃａが設定される。特に、ワークステーション１１において所定のアルゴリズムに基づいて切出領域Ｃａが設定されるため、ドットマトリックス方式のＬＥＤ表示ディスプレイに表示される画質の低下が避けられる。
【００３２】
以上のとおり、図示し詳述した展示用ディスプレイ装置は、表示ディスプレイの形状設計の自由度が高いため、広告、宣伝等の高い展示効果の求められる場所に適用できる。例えば、遊技施設、アミューズメント施設等の屋内外の展示ディスプレイにおいて斬新な面白さを演出できる。
【図面の簡単な説明】
【００３３】
【図１】本発明の一実施例に係る展示用ディスプレイ装置の全体構成図である。
【図２】基本画像データの概念図である。
【図３】切出画像データの概念図である。
【図４】送信用画像データの概念図である。
【図５】ＬＥＤモジュールの概略斜視図である。
【図６】表示ディスプレイの概略斜視図である。
【図７】表示ディスプレイにおける表示例である。
【図８】従来の展示用ディスプレイ装置における表示例である。
【符号の説明】
【００３４】
１  展示用ディスプレイ装置
１０  本部
１１  ワークステーション（画像加工手段）
１２  送信サーバー（画像配信装置）
２０  支部
２２  受信サーバー（画像受信装置）
４０  蓄積サーバー（画像データ蓄積手段）
５０  表示ディスプレイ（画像表示再生手段）
５１  ＬＥＤモジュール
５２  ＲＧＢ−ＬＥＤ
５５  画像表示面
【図１】
2008009057.tif 000003
【図２】
2008009057.tif 000004
【図３】
2008009057.tif 000005
【図４】
2008009057.tif 000006
【図５】
2008009057.tif 000007
【図６】
2008009057.tif 000008
【図７】
2008009057.tif 000009
【図８】
2008009057.tif 000010